(57)【要約】【課題】カートン自体にバージン性があってオーバーラップの必要がない振出口付きカートンを提供すること【解決手段】天板６にはその上辺に延長板７が連設されており、側板２にはその上辺に折込みフラップ１０が連設されており、延長板７にはその中ほどに抜き領域７ａが途中にツナギのある周回状の切線により区画され、その両側先端寄りに係合用の切欠７ｂが設けられており、延長板７の抜き領域７ａのところを背板３に貼り合わせて上部を閉鎖する。抜き領域７ａを押圧すると、抜き領域７ａが背板３に残り、延長板７に振出口が形成される。内袋を開封して戻し、延長板７をカートン内に差し込んでリクローズした後、指先で天板６を押し上げると、延長板７がスライドして振出口が露出するので、中身を振り出すことができる。【選択図】図６
2011031975.tif 000002
【特許請求の範囲】
【請求項１】
角筒状の胴部を形成する前板及び背板と一対の側板とを有し、前板にはその上辺に天板が連設され、天板にはその上辺に延長板が連設されており、側板にはその上辺に折込みフラップが連設されており、延長板にはその中ほどに抜き領域が途中にツナギのある周回状の切線により区画され、その両側先端寄りに係合用の切欠が設けられており、折込みフラップを内側に折り曲げた状態で、天板により胴部の上部を覆って延長板を背板に重ね合わせ、延長板の抜き領域のところを背板に貼り合わせることで上部を閉鎖するようになっていること特徴とする振出口付きカートン。
【請求項２】
背板における延長板の抜き領域に対応する位置にエンボスによる外向きの凸部が形成されていることを特徴とする請求項１に記載の振出口付きカートン。
【請求項３】
背板の上端縁に指先サイズの凹状部分が設けられていることを特徴とする請求項１又は２に記載の振出口付きカートン。
【発明の詳細な説明】
【技術分野】
【０００１】
本発明は、チョコレート、キャンデー、ガム等の粒状の菓子類、その他の粒状商品を収納し、これを振り出して小出しできる振出口付きカートンに関するものである。
【背景技術】
【０００２】
従来より、この種の振出口付きカートンの一つとして、特許文献１に記載のものが知られている。この振出口付きカートンは、差込ベロカートンのメインフラップに振出口形成片を連設した構成のもので、中身を取り出すに際して、メインフラップに突設した引掛片を指先で上方に押し上げると、振出口形成片の両側縁に形成した切欠がそれぞれサイドフラップに係合し、振出口が完全に開口するようになっている。このように振出口を露出させてから、消費者は、箱体の胴部を持って振ることにより、中身の商品を振出口から振り出して食することができる。
【先行技術文献】
【特許文献】
【０００３】
【特許文献１】実開平６−６１７１６号公報
【発明の概要】
【発明が解決しようとする課題】
【０００４】
上記の振出口付きカートンは、差込ベロカートンの差込フラップの形状を変えるだけで簡単に製造することができるものの、それ自体にバージン性がないため、フィルムを用いて全体をオーバーラップする必要があった。しかも、カートンの外側をフィルムでオーバーラップすると、折角の印刷面がフィルムを通して見られることになり、さらには反射して見えにくくなることもあるため、消費者の購買意欲をそそるような多彩な意匠表現を施そうとしても制約があった。
【０００５】
本発明は、このような問題に鑑みてなされたものであり、その目的とするところは、カートン自体にバージン性があってフィルムによるオーバーラップの必要がない振出口付きカートンを提供することにある。
【課題を解決するための手段】
【０００６】
本発明に係る振出口付きカートンは、角筒状の胴部を形成する前板及び背板と一対の側板とを有し、前板にはその上辺に天板が連設され、天板にはその上辺に延長板が連設されており、側板にはその上辺に折込みフラップが連設されており、延長板にはその中ほどに抜き領域が途中にツナギのある周回状の切線により区画され、その両側先端寄りに係合用の切欠が設けられており、折込みフラップを内側に折り曲げた状態で、天板により胴部の上部を覆って延長板を背板に重ね合わせ、延長板の抜き領域のところを背板に貼り合わせることで上部を閉鎖するようになっていること特徴としている。
【０００７】
この振出口付きカートンは、抜き領域を指先で押圧すると、切線の途中にあるツナギが破断され、抜き領域が背板に残った状態で延長板が背板から離れ、天板とともに前板の上辺をヒンジとして回動することではじめてカートンが開封される。このようにカートンを開封した後、粒状物の入った内袋を取り出し、その内袋を開封して再びカートン内に戻してから、延長板をカートン内に差し込むようにして天板で蓋をすることによりリクローズする。そして、このリクローズ状態で、指先により天板を押し上げると、延長板がスライドして引き出され、その両端寄りにある係合用の切欠が折込みフラップに引っ掛かり、抜き領域が取り除かれた部分が振出口として露出した状態になるので、胴部を持って振ることにより、中身をこの振出口から振り出すことができる。
【０００８】
そして、上記構成の振出口付きカートンにおいて、背板における延長板の抜き領域に対応する位置にエンボスによる外向きの凸部が形成されているように構成するとよい。この構成により、接着剤（ホットメルト）による抜き領域の背板に対する貼り合わせを簡単にかつ確実に行うことができる。
【０００９】
また、上記構成の振出口付きカートンにおいて、背板の上端縁に指先サイズの凹状部分が設けられているように構成するとよい。この構成により、背板の上端縁にある凹状部分から露出した天板の角部を指先で押せるので、天板を指先で押し上げる操作を簡単に行うことができる。
【発明の効果】
【００１０】
本発明の振出口付きカートンは、延長板の抜き領域を押してその周囲の切線の途中にあるツナギを破断し、延長板から抜き領域を押し外すことではじめて開封するので、バージン性を持たせるためにフィルムでオーバーラップをする必要がなく、製造コストを下げることができる。そして、オーバーラップしないことにより、カートンがフィルムで隠れることがないため、カートン表面に多彩な意匠表現を施すことができる。
【図面の簡単な説明】
【００１１】
【図１】本発明に係る振出口付きカートンの一例を背面側から見た状態で示す示す斜視図である。
【図２】図１の振出口付きカートンを組み立てるブランクの展開図である。
【図３】図１の振出口付きカートンを開封する様子を示す説明図である。
【図４】振出口付きカートンに収納した内袋を開封する様子を示す説明図である。
【図５】振出口付きカートンをリクローズする様子を示す説明図である。
【図６】振出口付きカートンから中身を振り出す様子を示す説明図である。
【発明を実施するための形態】
【００１２】
次に、本発明の実施の形態について図面を参照しながら詳細に説明する。
【００１３】
図１に示す振出口付きカートンＣは、図２に展開図を示すブランクＢを組み立て、その中に例えばチョコレート菓子などの粒状物が入った内袋を収納するものである。
【００１４】
図２のブランクＢは、所定の印刷が施された板紙を打ち抜いて形成された一枚もので、図示のように、前板１の右側に側板２と背板３がそれぞれ折罫を介して連設され、前板１の左側に側板４と糊代片５がそれぞれ折罫を介して連設されている。そして、前板１にはその上辺に天板６が折罫を介して連設され、さらに天板６の上辺には延長板７が折罫を介して連設されている。この天板６と延長板７の境界にある折罫は、折曲げやすさを考慮して途中に切線のあるリード罫とすることが好ましい。また、前板１にはその下辺に内側閉鎖板８が折罫を介して連設され、背板３にはその下辺に外側閉鎖板９が折罫を介して連設されている。また、側板２，４にはその上辺に折込みフラップ１０，１１がそれぞれ折罫を介して連設され、下辺に折込みフラップ１２，１３がそれぞれ折罫を介して連設されている。
【００１５】
天板６は、前板１、背板３及び側板２，４で構成される角筒状の胴部の上部を覆って蓋となる部分で、側板２，４の幅よりも紙厚分だけ大きな幅をしており、延長板７は天板６の幅より長いサイズが好ましく、これら天板６と延長板７は、上方に向かって僅かに細くなるように傾斜が付けられるとともに、延長板７の先端縁は円弧状に形成されていることが好ましい。
【００１６】
天板６に連設した延長板７には、その中ほどに抜き領域７ａが途中数カ所にツナギのある周回状の切線ａにより区画されているとともに、その両側先端寄りには係合用の切欠７ｂが設けられている。抜き領域７ａは、振り出す粒状物より僅かに大きなサイズに設定されるもので、この例では楕円状の抜き領域７ａが区画されている。また、切欠７ｂは、延長板７の端縁から三角状に形成されており、その三角の下辺は延長板７の端縁から滑らかに繋がる傾斜線で形成され、上辺は略水平な線で形成されている。
【００１７】
背板３には、天板６により胴部の上部を覆って延長板７を背板３に重ね合わせたときに、その延長板７の抜き領域７ａに対応する位置に、エンボスによる外向きの凸部３ａが抜き領域７ａより一回り小さなサイズで形成されている。また、背板３の上端縁には、図示のように、指先サイズの凹状部分３ｂが設けられている。
【００１８】
図２のブランクを組み立てたカートンの中に内袋を収納して図１に示す振出口付きカートンＣを形成するが、その一例を説明する。第一段階として、図２のブランクをサック貼りする。具体的には、側板４と糊代片５を前板１に対して折り返し、糊代片５に糊付けするとともに、背板３を側板２に対して折り返すことで背板３の端縁に沿った帯状部分を糊代片５に重ね合わせてサック貼りする。このようにサック貼り状態で折り畳んだブランクを複数枚まとめて充填工程に送る。
【００１９】
充填工程では、サック貼り状態で折り畳まれたブランクを起こし、前板１及び背板３と一対の側板２，４とで角筒状の胴部を形成する。次いで、下部の折込みフラップ１２，１３を折り込んでから、内側閉鎖板８、外側閉鎖板９の順に折り曲げて糊付けすることで胴部の下部を閉じて閉鎖部を形成する。なお、この閉鎖部は一例にすぎないものであり、このようなシールサックのほか、オートボトム、ロックサック等の閉鎖手段を採用しても構わない。
【００２０】
このように、サック貼り状態のものを起函して下部を閉じた後、粒状物の入った内袋を上部から挿入し、次いで、背板３の凸部３ａに接着剤（ホットメルト）を塗布してから、上部の折込みフラップ１０，１１を内側に折り曲げた状態で、天板６と延長板７とを折り曲げることにより、天板６により胴部の上部を覆って延長板７を背板３に重ね合わせ、延長板７の抜き領域７ａのところを背板３の凸部３に貼り合わせて上部を閉鎖する。
【００２１】
図１の振出口付きカートンＣは、下部がシールサックで閉鎖され、上部は天板６に繋がる延長板７が背板３に貼り合わせられているのでバージン性がある。したがって、フィルムでオーバーラップすることなく、そのまま店頭にて販売される。
【００２２】
購入した消費者が中身を取り出す手順は次のようである。まず、図３に示すように、背板３上部にある延長板７の抜き領域７ａを指で押圧し、抜き領域７ａを区画する切線ａの途中にあるツナギを破断する。これにより、抜き領域７ａが背板３に残った状態で延長板７が背板３から離れるので、そのまま延長板７を天板６とともに前板３の上辺をヒンジとして回動させることで振出口付きカートンＣが開封する。そして、延長板７には抜き領域７ａが除去されたことにより、振出口αとなる開口が形成される。
【００２３】
このように、カートンを開封した後、図４に示すように、粒状物の入った内袋Ｐを引き出して上部を開封し、開封した内袋Ｐを再びカートン内に戻した後、図５に示すように、延長板７をカートン内に差し込むようにして天板６で蓋をすることによりカートンをリクローズする。このとき、天板６と延長板７は上方に向かって僅かに細くなっているとともに、延長板７の先端縁が円弧状になっている場合は、簡単にリクローズ操作を行うことができる。
【００２４】
そして、このリクローズ状態で、背板３の上端縁にある凹状部分３ｂから露出した天板６の角部に指先を当てがって天板６を押し上げると、延長板７がスライドして引き出され、その両端寄りにある係合用の切欠７ｂが折込みフラップ１０，１１に引っ掛かり、抜き領域７ａのあとの開口が振出口αとして露出した状態になるので、図６に示すように、胴部を把持したままでカートンを振ることにより、中身の粒状物Ｒをこの振出口αから振り出すことができる。このとき、上記したように、延長板７の切欠７ｂは、下辺を端縁から滑らかに繋がる傾斜線とし、上辺を略水平な線としてあるから、折込みフラップ１０，１１の端縁に対してスムースに且つ確りと係合する。
【００２５】
中身を必要なだけ振り出した後は、天板６を上から押し、延長板７を背板３の裏側でスライドさせてカートン内部に押し込む。このとき、延長板７の切欠７ｂの下辺は端縁から滑らかに繋がって傾斜しているので、簡単に押し込むことができる。これにより振出口αは背板３の後ろ側に隠れ、カートンを振っても中身が出ない状態になる。したがって、振出口αの出し入れを繰り返して行うことができる。
【００２６】
ここで、延長板７の抜き領域７ａをあらかじめ打ち抜いておくと、抜き領域７ａのところを背板３に貼り合わせて上部を閉鎖することができないため、延長板７の先端に開封用のジッパーを介して貼着片を設ける必要が出てくる。このようにすると、振出機能を有する点では変わらないものの、ブランクの展開形状が大きくなり（図２のブランクＢで言えば、延長板７の上辺にジッパーを介して貼着片を延設することになる）、面取りの歩留りが悪くなるが、上記のように、延長板７の抜き領域７ａのところを背板に貼り合わせることで、このような無駄を回避することができる。
【００２７】
以上、本発明を実施するための形態について詳細に説明してきたが、本発明による振出口付きカートンは、上記の形態に何ら限定されるものではなく、本発明の趣旨を逸脱しない範囲において種々の変更が可能である。
【符号の説明】
【００２８】
Ｃ  振出口付きカートン
Ｂ  ブランク
Ｐ  内袋
Ｒ  粒状物
１  前板
２  側板
３  背板
３ａ  凸部
３ｂ  凹状部分
４  側板
５  糊代片
６  天板
７  延長板
７ａ  抜き領域
７ｂ  切欠
８  内側閉鎖板
９  外部閉鎖板
１０，１１  折込みフラップ
１２，１３  折込みフラップ
ａ  切線
α  振出口
【図１】
2011031975.tif 000003
【図２】
2011031975.tif 000004
【図３】
2011031975.tif 000005
【図４】
2011031975.tif 000006
【図５】
2011031975.tif 000007
【図６】
2011031975.tif 000008